(57)【特許請求の範囲】
【請求項１】
表面シートと基材が接着剤層を介して積層され、簡易切断線を境にして容器の開口部から剥離される部位と湯切り口形成部位とに区画され、この湯切り口形成部位は、所定の幅をもって当該部位を横断する一対の簡易切断線に挟まれた領域の分離領域と、この分離領域の周縁側と中央側に前記一対の簡易切断線を境にしてそれぞれ残存する領域とに区画され、前記容器の開口部から剥離される部位、湯切り口形成部位内のこの分離領域、この分離領域を挟んで周縁部側と中央側の夫々の残存する部位のそれぞれの周縁部の中間よりも開封端部側に片寄った位置にはそれぞれプルタブが設けられ、前記容器の開口部から剥離される部位、前記湯切り口形成部位の分離領域、更にはこの湯切り口形成部位の他の部分をそれぞれ前記プルタブを上方に引っ張りあげることによって容器の開口部を完全に開放するように構成されていることを特徴とする湯切り口付き蓋材。
【請求項２】
簡易切断線並びに一対の簡易切断線は、表面シートにその表側から設けられた表面側ハーフカットと、この表面側ハーフカットに平面的に僅かな間隔を開けて、基材側から表面シートに至るように並設された裏面側ハーフカットとから構成されている請求項１記載の湯切り口付き蓋材。
【請求項３】
簡易切断線並びに一対の簡易切断線は、基材から表面シートに貫通する、互いに外側に拡がるように傾斜した形状の剥離用切れ目を多数設けてなる切れ目線を複数列設されて構成されている請求項１記載の湯切り口付き蓋材。
【請求項４】
容器の開口部から剥離される部位と湯切り口形成部位の境界線に沿って設けられる簡易切断線は、中間部分が湯切り口形成部位側に凸になるように形成されている請求項１〜３のいずれかに記載の湯切り口付き蓋材。
【請求項５】
容器の開口部から剥離される部位と湯切り口形成部位内の中央側の残存する部位に設けられたプルタブは、この容器の開口部から剥離される部位と湯切り口形成部位の境界線に沿って設けられる簡易切断線を挟んで互いに隣り合って設けられているとともに、両プルタブの境界には、この簡易切断線に連なるノッチが設けられている請求項１〜４のいずれかに記載の湯切り口付き蓋材。
【請求項６】
湯切り口形成部位内の分離領域に設けられたプルタブの基部と蓋材の周縁部との交合点には、一対の簡易切断線に連なるノッチがそれぞれ設けられている請求項１記載の湯切り口付き蓋材。
【発明の詳細な説明】
【０００１】
【産業上の利用分野】
この発明は、主として生麺などの即席食品（この発明においては、以下単に即席食品という）の密封包装に使用する容器の蓋材、特に即席食品を柔らかくほぐすために注がれた湯を排出する湯切り口を備えた湯切り口付き蓋材に関する。
【０００２】
【従来の技術】
即席食品は、カップ容器（発泡スチロール、スチロール、ポリプロピレンなどからなる）に密封包装された生麺、ソースやスープ、そして具などがそれぞれ個別に密封包装されて容器内に密封封入されている。
この即席食品を食するに当たっては、まず蓋材を容器開口から剥離し、生麺などを容器からすべて取り出す。次いで、生麺をパウチから取り出して、容器内に戻し、湯を注ぎ込み、生麺を軽くほぐす。次いで、容器内の湯を排出し、ソースやスープ、そして具などを適宜に添加して再び湯を注ぐ。
【０００３】
ところで、従来の、例えば即席ラーメン（カップ麺）などでは、蓋材の一部分を容器開口部から剥離し、ここからスープ（ソース）、そして具の入ったパウチを容器外に取り出す。しかし、乾麺はそのまま容器内に留め置き、ここへスープ（ソース）、そして具を入れ、次いで湯を注ぎ込んで、蓋を再び閉めて、２〜３分間麺を蒸らし、その後蓋材を完全に剥離するようにしている。
また、焼きそばやスパゲティーなどでは、湯を注いでから、麺の解れをまって、湯を排出し、次いで蓋材をすべて剥離するようにしている。
【０００４】
そして、従来のこの種乾麺等を主体とした湯切り口付き蓋材は、基本的に麺類が容器内に据え置かれたままで湯が注ぎ込まれる形態が採用されている。つまり、容器からいったん取り出されるものは、スープ（ソース）、そして具などの比較的小容量のものであった。また、麺類などをゆがく必要上、蓋材の開口量は極力小さい方が望ましいとされている。
【０００５】
また、焼きそばやスパゲティーの蓋材では、湯を注ぐための部分的な開封に続き、湯切り口を開口する手間、更には食するにあたって蓋材をすべて開封する手間も要する。
【０００６】
【発明が解決しようとする課題】
しかし、この発明が対象とする即席食品は、最も容量の大きな麺類などをいったん容器から取り出す必要がある。取り敢えずは、従来の乾麺用の容器蓋材をそのまま転用してみたが、蓋材を完全に剥離しない限りは麺類が大変取り出し難いことが分った。また、即席食品をほぐすにも、大変ほぐしにくい欠点があることがわかった。その理由は、乾麺用の容器蓋材が、基本的には蓋材の開封面積を少なくするものであり、必然的に蓋材の開封面積が不十分であることに起因することがわかった。
【０００７】
そこでこの発明は、このような観点から、即席食品の仕様に最適な蓋材を得ることを課題として開発された。
したがって、この発明は、第１に蓋材の開封面積を可及的に大きくすることを課題とする。併せて第２に湯切り口の開封面積を可及的に大きくして素早い湯切りができるようにすることを課題とする。
【０００８】
【課題を解決するための手段】
以上の技術的な課題を解決するために、この発明の請求項１記載の湯切り口付き蓋材は、表面シートと基材が接着剤層を介して積層され、簡易切断線を境にして容器の開口部から剥離される部位と湯切り口形成部位とに区画され、この湯切り口形成部位は、所定の幅をもって当該部位を横断する一対の簡易切断線に挟まれた領域の分離領域と、この分離領域の周縁側と中央側に前記一対の簡易切断線を境にしてそれぞれ残存する領域とに区画され、前記容器の開口部から剥離される部位、湯切り口形成部位内のこの分離領域、この分離領域を挟んで周縁部側と中央側の夫々の残存する部位のそれぞれの周縁部の中間よりも開封端部側に片寄った位置にはそれぞれプルタブが設けられ、前記容器の開口部から剥離される部位、前記湯切り口形成部位の分離領域、更にはこの湯切り口形成部位の他の部分をそれぞれ前記プルタブを上方に引っ張りあげることによって容器の開口部を完全に開放するように構成されたものである。
【０００９】
【作用】
以上の構成による湯切り口付き蓋材においては、まず蓋材の内、容器の開口部から剥離される部位のプルタブを摘まんで上方へ引っ張りあげる。このとき、この部位は、従来のように途中まで剥離するのとは全く違って、この部位の蓋材部分全体を容器の開口部フランジから剥離するように引きあげる。この剥離は、簡易切断線の存在によって、安定的で軽快に行われる。その結果、容器の開口部には、湯切り口形成部位のみが容器の開口部のフランジに接着された状態で残ることになる。次いで、この湯切り口形成部位の分離領域にあるプルタブを摘まんで引っ張りあげる。この剥離は、所定間隔を隔てて並設されている一対の簡易切断線の存在によって、安定的で軽快に行われる。その結果、所定の幅を持った湯切り口が、この湯切り口形成部位を横断して形成される。併せて、この湯切り口形成部位の他の部分のみが容器の開口部フランジに接着された状態で残ることになる。次いで、この状態から容器の開口部から剥離される部位が切り取られた開口部から容器内に収納されている即席食品、スープ（ソース）、そして具などを取り出す。次に、即席食品のみを容器に入れて湯を注いでゆがいた後に、容器に接着されている湯切り口形成部位に形成された湯切り口から湯切りする。そして、容器内に具やスープを入れ、電子レンジで加熱するかもしくは湯を注ぐことにより、カップ入り即席食品ができあがる。次いで、湯切り口形成部位の他の二つのプルタブをそれぞれ上方に引っ張りあげ、容器の開口部に接着されている湯切り口形成部位の残余の蓋材部分を剥離してから取り除き、容器の開口部を完全に開放する。
【００１０】
【発明の効果】
従って、この発明の請求項１記載の湯切り口付き蓋材は、は以下の効果を奏する。
剥離される部位のプルタブを上方に引っ張りあげて蓋材を容器の開口部のフランジから剥離すると、簡易切断線を挟んでこのプルタブが存在する側の部分が容器の開口部フランジから剥離してすべて取り除かれる。湯切り口形成部位のみが容器の開口部のフランジに接着された状態で残る。したがって、開封量を圧倒的に大きく広げることができる。その結果、容器内からのパウチに収納された即席食品の取り出し、また、パウチから取り出された即席食品の容器内への収容を、格段に楽に行える利点がある。併せて、収容された即席食品のほぐし作業も大変楽に行える利点がある。
【００１１】
また、容器の開口部から剥離される部分と容器の開口部に接着されたまま残存する湯切り口形成部位の境界線に簡易切断線が、湯切り口形成部位と湯切り口を開口するための分離領域は一対の簡易切断線がそれぞれ設けられているので、剥離安定性をうまく確保できる。
【００１２】
更に、湯切り口は、湯切り口形成部位を所定の幅をもって横断するようにして開口されるために、その開口量が可及的に大きくなるので、素早い湯切りを可能にする。
しかも、各プルタブは各部位のそれぞれの周縁部の中間よりも開封端部側に片寄った位置に設けられているので、これら各プルタブを摘まんで、これら各部位や領域を容器のフランジから剥離する際に、これら蓋材の各部位や領域の一端側から剥離力を作用させることができる。つまり、これら各プルタブが各部位や領域の周縁の中間点に存在すると、これら各プルタブから各部位や領域に働く剥離力は、左右に均等に分散され、それだけ剥離力が弱くなり、より大きな剥離力が要求される傾向があるからである。また、このようにすることで、前記周縁部側の残存する部位に設けられるプルタブは、湯切りされる湯の排出経路から傍らに片寄った位置に存在する。したがって、湯切り直後であっても、このプルタブに熱湯の雫などが付着したり、熱くなっていたりするおそれがなく、不用意に火傷を負う危惧もなくなる。
【００１３】
この発明に係る湯切り口付き蓋材は、簡易切断線並びに一対の簡易切断線として、請求項２に記載されるように、両面ハーフカットを採用したり、請求項３に記載されるように、ハの字ミシン目が採用される。
【００１４】
また、この発明に係る湯切り口付き蓋材にあって、容器の開口部から剥離される部位と湯切り口形成部位の境界線に沿って設けられる簡易切断線は、直線状であったり、請求項４に記載されるように、中間部分を湯切り口形成部位側に凸になるように形成されるのが望ましい。
特に、中間部分を湯切り口形成部位側に凸にする場合には、容器の開口部をより一層広くでき、容器に収納されている即席食品の出し入れが大変容易になる上に即席食品のほぐしも容易になる。
【００１５】
更に、この発明に係る湯切り口付き蓋材は、請求項５に記載されるように、容器の開口部から剥離される部位と湯切り口形成部位内の中央側の残存する部位に設けられたプルタブは、この容器の開口部から剥離される部位と湯切り口形成部位の境界線に沿って設けられる簡易切断線を挟んで互いに隣り合って設けられ、併せて両プルタブの境界には、この簡易切断線に連なるノッチが設けられるのが望ましい。
容器の開口部から剥離される部位側のプルタブを上方に引っ張りあげて、簡易切断線を挟んでこの容器の開口部から剥離される部位を容器の開口部フランジから剥離する際に、その剥離のきっかけが簡単に得られ、隣接する湯切り口形成部位との分離が軽快に行えるようになるからである。
【００１６】
更に、この発明に係る湯切り口付き蓋材は、請求項６に記載されるように、湯切り口形成部位内の分離領域に設けられたプルタブの基部と蓋材の周縁部との交合点には、それぞれ一対の簡易切断線に連なるノッチが設けられるのが望ましい。
この分離領域のプルタブを上方に引っ張りあげて、簡易切断線に挟まれたこの分離領域を両側に隣接する残存する部位から剥離する際に、その剥離のきっかけが簡単に得られ、隣接する残存する部位との分離が軽快に行えるようになるからである。
【００１７】
【発明の実施の形態】
（第１の実施の形態）
以下、この発明に係る湯切り口付き蓋材の第１の実施の形態を図１〜８の記載に基づいて説明する。
この湯切り口付きの蓋材１は、容器２の開口部３に、容器２の開口部３とほぼ同じ外形を有し（図５参照）、表面シート４と基材５が接着剤層６を介して積層されてなる。また、図３，４に示されるように、中央部分を横断する、簡易切断線７を境にして容器２の開口部３から剥離される部位Ａと湯切り口形成部位Ｂとに区画される。この湯切り口形成部位Ｂ内には、所定の幅をもって当該部位Ｂを横断する、一対の簡易切断線８によって、湯切り口形成のために分離される領域Ｃが区画される。また、この分離領域Ｃを挟んで、周縁部９側で残存する部位Ｄと中央側で残存する部位Ｅに区画される。蓋材１の周縁部９で、容器２の開口部３から剥離される部位Ａ、湯切り口形成部位Ｂの剥離領域Ｃ、そして二つの残存する部位Ｄ、Ｅに対応する部位には、それぞれプルタブ１０，１１，１２，１３が設けられている。そして上記中央部分を横断する簡易切断線７並びに湯切り口形成部位Ｂ内の前記一対の簡易切断線８は、それぞれ所謂両面ハーフカット７１，８１が採用されている。蓋材１は表面に通常の印刷が施され、通常の打ち抜き型を用いた打ち抜き工程で、直径１９０ｍｍの排湯機能を備えた湯切り口付き蓋材として作製される。
【００１８】
また、図５に示されるように、前記蓋材１に設けられたシール部１４を容器２の開口部３のフランジ２Ａにシールすることで即席食品容器が得られる。そして、このシール部１４のシール幅は、３ｍｍないし１０ｍｍが一般的である。
【００１９】
ここで、基材５は、図４に示されるように、あらかじめ発泡スチロール、スチロール、ポリプロピレンなどの樹脂を用いて成型された容器２との剥離を容易にする、低温接着性を有するＥＶＡ（エチレン酢酸ビニル共重合体）などのオレフイン系樹脂またはヒートシールニスなどからなるシーラント剤１６を、１５〜６０μｍの厚さでアルミニウム箔１７（厚さ７〜２０μｍ）の裏面に押し出しによりラミネートあるいは塗着することにより作製されたものを使用することができる。
【００２０】
このシーラント剤１６は、上記の他にも、例えば以下に示すような素材が採用される。例えば、ＥＭＡＡ（エチレン−メタクリル酸）とエステル、ポリスチレンとポリエチレン、ポリプロピレンとポリエチレン、ポリエチレンとポリブテンの混合物などである。
【００２１】
この発明において、前記アルミニウム箔１７は、必ずしも必要としない。また、アルミニウム箔１７の代わりに、酸化ケイ素、酸化アルミニウムなどの金属酸化物を蒸着したポリエステルフィルムを採用できる。
【００２２】
表面シート４は、厚さが４０ｇ／ｍ2 〜１３０ｇ／ｍ2 の範囲内にある紙１８、具体的には片アート紙あるいはコート紙を使用することができる。グラビア印刷法により表裏同一行程で、表面側にインキによる印刷層１９を設ける。この表面シート４の印刷層１９にはプラスチックフイルムを積層して被覆層３１を形成さても良い。この印刷層１９並びに表面シート４を保護するためである。また、採用されるプラスチックフイルムは、例えば、ＰＥＴ，ＯＰＰ，ＯＮなどが挙げられる。
【００２３】
更に、接着剤層６としては、印刷された前記紙１８の裏面との熱接着性に優れた接着剤、具体的にはＨＤＰＥ（高密度ポリエチレン）、ＥＭＡＡ（エチレン−メタクリル酸）、更にはＬＤＰＥ（低密度ポリエチレン）になどを使用できる。１０〜２５μｍの厚みで、前記アルミニウム箔１７（厚さ７〜２０μｍ）の表面に押し出しによりラミネートあるいは塗着することにより作製されたものを使用することができる。
【００２４】
湯切り口２０の形状は、図２に示されるように、蓋材１の前記湯切り口形成部位Ｂを左右に横断する細長い矩形形状に形成される。なお、図示しないが、矩形形状に代えて円弧状も採用できる。具体的な構成としては、例えば、中央の簡易切断線７と同じ曲率を備えた円弧にすることである。
【００２５】
容器２の開口部３から剥離される部位Ａと湯切り口形成部位Ｂの境界線に沿って設けられる前記両面ハーフカット７１、この湯切り口形成部位Ｂ内の分離部位Ｃと周縁側に残存する部位Ｄ、そして中央側に残存する部位Ｅとの境界線に沿ってそれぞれ設けられる前記両面ハーフカット８１は、具体的には以下の構成を備える。
【００２６】
この両面ハーフカット７１，８１は、表面側ハーフカット７１Ａ，８１Ａと裏面側ハーフカット７１Ｂ，８１Ｂで構成されている。表面側ハーフカット７１Ａ，８１Ａは、表面シートにその表側から設けられている。また、裏面側ハーフカット７１Ｂ，８１Ｂは、この表面側ハーフカット７１Ａ，８１Ａに平面的に、僅かな間隔を開けて、しかも基材５側から表面シート４に至るように並設されて設けられている。表面シート４にその表面側から設けられた表面側ハーフカット７１Ａ，８１Ａは、表面シート４の表側から紙１８に、その厚みのほぼ１／４〜３／４に至る範囲で形成されている。また、裏面側ハーフカット７１Ｂ，８１Ｂは、内面側となる基材５から接着剤層６を超えて表面シート４の紙１８に、その厚みのほぼ１／４〜３／４に至る範囲で形成されている。
【００２７】
容器２の開口部３から剥離される部位Ａと湯切り口形成部位Ｂとに設けられたプルタブ１０，１１は、両面ハーフカット７１を挟んで互いに隣り合って設けられている。そして、両プルタブ１０，１１の境界には、図１〜２並びに図８に示されるように、基材５から表面シート４に貫通し、この両面ハーフカット７１に連なるなノッチ２１が設けられている。また、湯切り口形成部位Ｂ内の分離領域Ｃに設けられたプルタブ１２の基部と蓋材１の周縁部９との交合点には、ノッチ２２がそれぞれ設けられている。このノッチ２２は、それぞれ基材５から表面シート４に貫通し、一対の両面ハーフカット８１に連なるように形成されている。各プルタブ１０，１１，１２を上方に引っ張りあげて、剥離される部位Ａ、分離領域Ｃ、周縁側の残存する部位Ｄ並びに中央側の残存する部位Ｅを容器２の開口部フランジ２Ａから剥離するきっかけが簡単に得られ、各部位の分離が軽快に行えるようにするためである。これらのにノッチ２１，２２は、図２の部分拡大図に示されるように、表面側ハーフカット７１Ａ，８１Ａだけでなく、裏面側ハーフカット７１Ｂ，８１Ｂにも連なるように形成されている。つまり、この裏面側ハーフカット７１Ｂ，８１Ｂの端部をノッチ２１，２２側に向けてカーブさせることによって、その端部をこのノッチ２１，２２に連ねてある。なお、図２中の部分拡大図においては、中央の簡易切断線７とノッチ２１との関係を示すにとどめるが、一対の簡易切断線８とノッチ２２の関係においても同様の構成が採用されている。また、このノッチ２１，２２は、基材５から表面シート４に貫通する構成が採用されているが、表面シート４のみ、又は紙１８のみを貫通するだけの構成も採用できる。更に、裏面側ハーフカット７１Ｂ，８１Ｂを、その端部においてノッチ２１，２２に連ねる構成に代えて、表面側ハーフカット７１Ａ，８１Ａに連ねる構成も採用できる。剥離のきっかけが容易で、簡易、そして確実に得られ、各部位の分離が軽快に行える効果は同等である。
【００２８】
前記各プルタブ１０〜１３は、図１〜３に示されるように、各部位や領域の周縁部の中間よりも開封端部側に片寄った位置に設けられる望ましい。特に、開封縁となるような部位が好ましい。その理由は、これら各プルタブ１０〜１３を摘まんで、これら各部位や領域を容器２のフランジ２Ａから剥離する際に、これら蓋材１の各部位や領域の一端側から剥離力を作用させることができるからである。つまり、これら各プルタブ１０〜１３が各部位や領域の周縁の中間点に存在すると、これら各プルタブ１０〜１３から各部位や領域に働く剥離力は、左右に均等に分散され、それだけ剥離力が弱くなり、より大きな剥離力が要求される傾向があるからである。また、このようにすることで、前記周縁部側の残存する部位Ｄに設けられるプルタブ１３は、湯切りされる湯の排出経路から傍らに片寄った位置に存在する。したがって、湯切り直後であっても、このプルタブ１３に熱湯の雫などが付着したり、熱くなっていたりするおそれがなく、不用意に火傷を負う危惧もなくなるからである。
【００２９】
容器２の開口部３から剥離される部位Ａと湯切り口形成部位Ｂとの境界線に沿って設けられる簡易切断線７としてのハーフカット７１Ａは、図１〜３に示されるように、ほぼ中間部分が、湯切り口形成部位Ｂ側に向かって凸となるように湾曲する曲線状に形成されている。
【００３０】
なお、図例では、このように曲線状に形成されているが、必要に応じて、図１中想像線で示されるように、蓋材１の中央部分を横切るような直線も採用される。この他にも即席食品の容量によっては、例えば、湯切り口形成部位Ｂに偏って、蓋材１の１／３あるいは１／４位置に設けられる構成も採用される。要は、即席食品を可及的に出し入れし易い開封量を得ることと、安全な湯切りが行えるに足る基材７の残存量を得ることの兼ね合いをうまく図ることである。
【００３１】
以上の構成において、蓋材１は、各プルタブ１０〜１３が共に容器２の外方に突出した状態で、容器２の開口部３を覆って、内面のシーラント剤１６と容器２のフランジ２Ａとがシール部１５にて熱接着されている（図５参照）。
【００３２】
次いで、図５に示される蓋材１が取り付けられている容器２を使用するに際しては、まず容器２の開口部３から剥離される部位Ａのプルタブ１０を摘まんで蓋材１を容器２から引き剥がす。蓋材１は内面のシーラント剤１６層と容器２のフランジ２Ａとのシール部１５が剥離してくる。このとき、このノッチ２１の存在によって、蓋材１の容器２の開口部３から剥離される部位Ａが湯切り口形部位Ｂから容易に切断され、以降の分離を軽快に行うきっかけが得られる。したがって、両面ハーフカット７１を境にして，剥離される部位Ａが簡便、かつ、軽快に剥離してくる。
【００３３】
この両面ハーフカット７１を境にして剥離される部位Ａが容器２から完全に剥離された後は、図６に示されるように、湯切り口形成部位Ｂのみが容器２の開口部３のフランジ２Ａに接着されたまま残り、容器２の開口部３をほぼ１／２乃至１／２以下〜１／４程度を覆った状態となる。
【００３４】
次に、湯切り口形成部位Ｂの分離領域Ｃに設けられているプルタブ１１を摘まんでこれを上方に引っ張りあげ、この分離領域Ｃの蓋材１部分を剥離する。このとき、このノッチ２２と両面ハーフカット８１の存在によって、分離領域Ｃがこの分離領域Ｃの周縁側と中央側とに隣接する残存する部位Ｄ，Ｅから容易に切断され、以降の分離を軽快に行うきっかけが得られる。そして、この分離領域Ｃが剥離されると、その後に、図２，７に示されるように、細長い矩形（あるいは円弧）の湯切り口２０が開口形成される。また、この剥離領域Ｃに隣り合う残存する部位Ｄ，Ｅは、いまだそのまま容器２の開口部３に接着されたまま残存する。
【００３５】
次いで、この状態から、剥離される部位Ａが切り取られて大きく開放された開口部３から容器２内に収納されている即席食品、スープ（ソース）、そして具などを取り出す。次に、即席食品をパウチから取り出し、即席食品だけを容器２内に入れ、湯を注いで即席食品を１〜２分間ゆがいたり、ほぐしたりする。その後、容器２を傾けて湯切り口２０から湯切りを行う。
【００３６】
その後、スープ（ソース）、そして具を容器２内に入れて湯を注ぎ、例えばラーメンなどのカップ入り即席食品を完成させる。次いで、容器２の開口部３に接着されている前記剥離領域Ｃに隣り合う残存する部位Ｄ、Ｅにそれぞれ設けられているプルタブ１２、１３を摘まんで、順次これらを上方に引っ張り上げて、この前記剥離領域Ｃに隣り合う残存する部位Ｄ，Ｅを剥離して取り除き、容器２の開口部３を完全に開放し、即席食品を食する。前記両プルタブ１２，１３は、これら残存する部位Ｄ，Ｅの端の方に設けられているので、これらの残存する部位Ｄ，Ｅに対する引っ張り上げ力をこれら残存する部位Ｄ，Ｅの一端に集中的に作用させ得る。従って、可及的に簡便で、軽快な剥離を可能にする。
【００３７】
（第２の実施の形態）
この発明の第２の実施の形態の蓋材１は、基本的な構成は前記第１の実施の形態と同じであり、前記簡易切断線７，８が共に、所謂ハの字ミシン目で構成されている点で異なる。したがって、その他の構成、作用などの詳細な説明は省略する。
【００３８】
図９に示されるように、簡易切断線７，８を構成するこの所謂ハの字ミシン目は、前記第１の実施の形態と同様に、容器２の開口部３から剥離される部位Ａと湯切り口形成部位Ｂとの境界線、またこの湯切り口形成部位Ｂ内の分離部位Ｃと周縁側に残存する部位Ｄ、そして中央側に残存する部位Ｅとの境界線に沿ってそれぞれ設けられている。
【００３９】
このハの字ミシン目２５，２６は、基材５から表面シート４に貫通して設けられ、互いに外側に拡がるように傾斜した形状の剥離用の切れ目２７を多数設けてなる切れ目線２８を複数列設けて形成される。更に具体的には、剥離用の切れ目２７は、図９の部分拡大図に示されるように、流れ方向に対して約２０度外側に斜めに拡がる形状の一対の構成で連続的に設けられて１列の切れ目線２８が形成されている。実施される蓋材１には、この切れ目線２８が２列以上設けられた構成となっている。ここで、切れ目線２８を構成する切れ目２７は、前記の形状でしかも左右対称の形状に設けるのが、切断し易く、また、隙間ができなく、切断部分に蓋材１の切断端が残らず綺麗に剥離できる。この切れ目線２８は、２列以上の複数列設けられるのが望ましいが、３列以上５列以下の範囲で設けるのが、剥離性、安定性の点から好ましい。なお、この切れ目線２８は、表面シート４のみ、あるいは紙１８のみを貫通して設けられる構成も採用できる。
【００４０】
以上の各実施の形態においては、蓋材１の形状を円形で紹介したが、その形状は適宜任意に選択され、容器２の開口部３の形状に合わせた形状が適宜に選択される。また、湯切り口２１の大きさや設けられ位置も任意であり、湯切りの際に即席食品が漏れ出さず、しかも素早い湯切りができるように設定される。
【００４１】
また、各実施の形態に示される構成は、この発明の所期の目的を逸脱しない範囲で適宜に組み合わせて採用される。例えば、簡易切断線と一対の簡易切断線のいずれかをハーフカットや所謂ハの字ミシン目のいずれかで、他方を一方で採用した種類とは異なる種類を採用して、異なるの種類を組み合わせることもできる。
【００４２】
【実施例】
以下この発明の実施例を説明する。
（実施例１）
この湯切り口付き蓋材１は、次のようにして作製される。
まず、あらかじめカップ容器２との剥離を容易にした低温接着性を有するＥＶＡなどのオレフィン系樹脂からなるシーラント剤１６（２５μｍ厚）をアルミニウム箔１７（９μｍ厚）に塗着する（ポリエチレンの接着層２９を介しても良い）ことによって基材５を作製する。同時に、巻取り状の紙１８（コート紙：８４．９ｇ／ｍ2 ）に、グラビア印刷法により、表裏同一工程で、インキによる印刷層１９とその表面側を、ポリエチレンの接着層３０を介してドライラミネートにより、ポリエステル（１０μｍ厚）の被覆層３１で覆って表面シート４を作製する。引き続きこの表面シート４との接着性に優れたＬＤＰＥ（低密度ポリエチレン：１５μｍ厚）からなる接着剤層６により、エクストルーダーを用いて、表面シート４を基材５の表面にラミネートすることにより積層材を得る。
なお、前記被覆層３１は必要に応じて採用されれば良い。
【００４３】
続いて、このラミネートされた巻取り状の積層材を枚葉状に大断ちした後、ミシン目並びにハーフカット加工を行い（巻取り状にてハーフカット加工をする場合もある）、ハーフカット加工完了後、小断ち・抜き加工を経て、この発明の蓋材１を作製する（ハーフカット加工と同時に小断ち・抜き加工を行う場合もある）。
【００４４】
そして、この蓋材１をカップ容器２にヒートシールなどによりシール部１５のシール幅が４ｍｍとしてシールすることによって、排湯機能を備えた即席食品容器が完成する。このカップ容器２は、例えば、発泡スチロール、スチロール、ポリプロピレンなどから、あらかじめ成形されている。
【００４５】
前記ハーフカット加工において、湯切り口を形成するための一対の両面ハーフカット８１は直線状ハーフカットで形成される。
【００４６】
この実施例１における蓋材１が取り付けられた容器の使用手順は、前記第１の実施の形態に示される手順と同様であるので、その詳細な説明は省略し、構成の説明に留める。
【００４７】
（実施例２）
この発明の実施例２の蓋材１は、基本的な構成は実施例１の蓋材１と同様であるので、同じ構成については同一の符号を付してその詳細な説明は省略する。
この実施例２の実施例１との大きな差異は、簡易切断線７，８が共に所謂ハの字ミシン目で構成されている点である。
【００４８】
前記実施例２と同様の手順で得られた積層材を枚葉状に大断ちした後、ハの字ミシン目加工を行い（巻取り状にてハの字ミシン目加工をする場合もある）、ハの字ミシン目加工完了後、小断ち・抜き加工を経て、この発明の蓋材１を作製する（ハの字ミシン目加工と同時に小断ち・抜き加工を行う場合もある）。
【００４９】
そして、この蓋材１をカップ容器２にヒートシール等により、シール部１０のシール幅を４ｍｍにしてシールすることによって、排湯機能を備えた即席食品容器が完成する。この実施例では、ハの字ミシン目は基材５から表面シート４に貫通して設けられている。
【図面の簡単な説明】
【図１】  この発明の実施例１における湯切り口付き蓋材の平面図である。
【図２】  この発明の実施例１における湯切り口付き蓋材を示し、一部を取り出して拡大した要部の拡大図を含む裏面図である。
【図３】  この発明の実施例１における湯切り口付き蓋材の層間剥離領域を示す説明裏面図である。
【図４】  この発明の実施例１における湯切り口付き蓋材の積層構成を示し、図１中Ａ−Ａ線に沿った説明断面図である。
【図５】  この発明の実施例１における湯切り口付き蓋材を容器に開口部に接着した状態を示し、図１中Ａ−Ａ線に沿った説明断面図である。
【図６】  容器に開口部に接着したこの発明の実施例１における湯切り口付き蓋材の剥離される部位Ａを剥離した状態を示す断面図である。
【図７】  容器に開口部に接着したこの発明の実施例１における湯切り口付き蓋材の剥離領域Ｃを剥離した状態を示す断面図である。
【図８】  この発明の実施例１における湯切り口付き蓋材のノッチの構造を示す図１中のイ〜ハ矢視図である。
【図９】  この発明の実施例２における湯切り口付き蓋材を示し、一部を取り出して拡大した要部の拡大図を含む裏面図である。
【符号の説明】
１…蓋材，２…容器，３…開口部，４…表面シート，５…基材，６…接着剤層，７，８…簡易切断線，７１，８１…ハーフカット，７１Ａ，８１Ａ…表面側ハーフカット，７１Ｂ，８１Ｂ…裏面側ハーフカット，９…周縁部，１０，１１，１２，１３…プルタブ，１４…シール部，１５…シール部，１６…シーラント剤，１７…アルミニウム箔，１８…紙，１９…印刷層、２０…湯切り口，２１，２２…ノッチ，２５，２６…ハの字ミシン目，２７…切れ目，２８…切れ目線，Ａ…剥離される部位，Ｂ…湯切り口形成部位，Ｃ…分離領域，Ｄ，Ｅ…残存する部位。
【図１】
0004089241.tif 000002
【図２】
0004089241.tif 000003
【図３】
0004089241.tif 000004
【図４】
0004089241.tif 000005
【図５】
0004089241.tif 000006
【図６】
0004089241.tif 000007
【図７】
0004089241.tif 000008
【図８】
0004089241.tif 000009
【図９】
0004089241.tif 000010